(57)【特許請求の範囲】
【請求項１】
シールド電線の複数のシールド線端末に圧着した端子が挿入される複数の端子収容室を有するインナーハウジングと、前記インナーハウジングを覆うシールド部と前記シールド電線のシース部を圧着固定するバレル部とを有するシールドシェルと、を備えたシールドコネクタであって、
前記端子収容室が、一側方と前後方向が開放された空間を有し、
前記空間を区画形成する隔壁が、前記一側方から前記空間に挿入された前記端子の前後方向の移動を規制する係止部と、前記一側方から挿入された前記端子の離脱を阻止する仮係止部と、
を備えることを特徴とするシールドコネクタ。
【請求項２】
請求項１記載のシールドコネクタであって、
前記仮係止部が、前記端子に突設された係止突起を係止する可撓アームにより構成されることを特徴とするシールドコネクタ。
【請求項３】
請求項１または請求項２記載のシールドコネクタであって、
前記端子が、オス端子により構成されることを特徴とするシールドコネクタ。
【請求項４】
請求項３記載のシールドコネクタであって、
前記空間の一側方が、前記オス端子の先端が貫通する端子貫通孔を有するフロントホルダにより閉塞されることを特徴とするシールドコネクタ。
【発明の詳細な説明】
【技術分野】
【０００１】
本発明は、シールドコネクタに関する。
【背景技術】
【０００２】
複数本の素線を撚り合わせてなる導体を絶縁被覆層で覆った信号線を複数本有する多芯線型シールドケーブルに接続してなるシールドコネクタが知られている（例えば、特許文献１参照）。
この種のケーブル側のシールドコネクタ５０１を図１０に示す。
シールドケーブル（シールド電線）５１０は、複数の素線を撚り合わせてなる導体５１１ａの周囲を絶縁被覆層５１１ｂで覆った信号線５１１と、複数本の銅素線を撚り合わせてなるドレイン線５１２とを金属箔５０３で覆い、さらに金属箔５０３の外周を絶縁外被（シース部）５１４で被覆してなる。
【０００３】
シールドコネクタ５０１は、シールドケーブル５１０の端末部の信号線５１１とドレイン線５１２とを露出させ、これらの端末部を端子５２０，５２０，５２０にそれぞれ接続し、この端子５２０，５２０，５２０を誘電体（インナーハウジング）５３０の端子収容部５３１，５３１，５３１に収容し、さらに、この誘電体５３０の外周にドレイン線５１２に接続した中央に位置する端子５２０と電気的に導通接続させる金属製の外導体シェル５４０を装着してなるものである。
【先行技術文献】
【特許文献】
【０００４】
【特許文献１】特開２００３−１７３８２８号公報
【発明の概要】
【発明が解決しようとする課題】
【０００５】
ところで、ＵＳＢ２．０（高速伝送用差動コネクク）などのシールド電線は、図１１に示すように、伝送性能、耐ノイズ性能を満足させるため、特殊なシールド電線６０３が用いられる。このシールド電線６０３は単体で性能を満足させる構造となっているため、端子６０５とのつなぎ部６２５ではシールド電線６０３の絶縁外被６１５やシールド箔６２７からなる皮６２９を剥ぐ必要がある。そのため、皮６２９を剥いでいる部分は、インピーダンス不整合を引き起こし、伝送性能が悪くなるため、皮６２９を剥ぐ長さは短ければ短いほどよい。
【０００６】
しかしながら、シールド電線６０３の皮６２９を剥ぐ長さを短くしていると、シールド電線６０３に端子６０５を圧着した状態の端子装着シールド電線６０７をインナーハウジング６０９に挿入する際、端子６０５の向きを合わせ、全て（ＵＳＢ２．０の場合は４本）の端子装着シールド電線６０７を同時に挿入したり、半挿入の状態を意図的に作り、一度揃えたりするなどの作業が必要になってしまう。これらの同時挿入作業や、半挿入状態の揃え作業は、インナーハウジング６０９への端子６０５の組付作業性を低下させた。
【０００７】
本発明は上記状況に鑑みてなされたもので、その目的は、シールド電線の皮を剥ぐ長さが短い場合でも端子の挿入作業が容易になるシールドコネクタを提供することにある。
【課題を解決するための手段】
【０００８】
本発明に係る上記目的は、下記構成により達成される。
（１）  シールド電線の複数のシールド線端末に圧着した端子が挿入される複数の端子収容室を有するインナーハウジングと、前記インナーハウジングを覆うシールド部と前記シールド電線のシース部を圧着固定するバレル部とを有するシールドシェルと、を備えたシールドコネクタであって、前記端子収容室が、一側方と前後方向が開放された空間を有し、前記空間を区画形成する隔壁が、前記一側方から前記空間に挿入された前記端子の前後方向の移動を規制する係止部と、前記一側方から挿入された前記端子の離脱を阻止する仮係止部と、を備えることを特徴とするシールドコネクタ。
【０００９】
上記（１）の構成のシールドコネクタによれば、端子収容室が、端子収容室の前後方向に直交する方向となるインナーハウジングの一側方で開放される。複数のシールド線端末のそれぞれには端子が設けられ、シールド電線には端子との間につなぎ部が形成される。つなぎ部は、複数本のシールド線を纏める皮が剥かれることで、皮による拘束が解かれ、それぞれの端子が相互に離間可能となる。つなぎ部は、伝送性能が悪くなるインピーダンス不整合が引き起こされないように、短い長さで皮が剥かれている。端子収容室に端子が装着される際、それぞれの端子は、つなぎ部が屈曲され、対応する端子収容室の一側方に平行に配置される。短いつなぎ部であっても、端子は端子収容室の一側方から平行移動するだけで容易に挿入できる。これにより、端子の同時挿入作業や、半挿入状態の揃え作業が不要となる。
また、複数の端子が端子収容室へ順に挿入される過程において、挿入の完了された端子は、仮係止部によって端子収容室からの離脱が規制され、作業性が高められる。端子収容室における空間の一側方を開放する端子挿入開口は、最終的にはシールドシェルのシールド部によって閉塞されて端子が離脱しなくなるので、仮係止部は、端子収容室の隔壁に形成された簡単な構造で形成が可能となる。
【００１０】
（２）  上記（１）のシールドコネクタであって、前記仮係止部が、前記端子に突設された係止突起を係止する可撓アームにより構成されることを特徴とするシールドコネクタ。
【００１１】
上記（２）の構成のシールドコネクタによれば、インナーハウジングの一側方において端子挿入開口によって開放される端子収容室に、端子に突設された係止突起を係止する可撓アームが、一側方に向けて突設され、端子を上下から挟持する方向へ撓み可能とされる。端子には、この可撓アームに対向する面に、係止突起が突出して形成されているので、可撓アームを押し広げて端子収容室へ挿入された端子は、係止突起が弾性復元力によって押圧される可撓アームに係止され、端子挿入開口からの容易な離脱が規制される。従って、端子挿入作業時には、端子が可撓アームにより仮係止されるので、挿脱が容易に行え、作業性もよい。
【００１２】
（３）  上記（１）または上記（２）のシールドコネクタであって、前記端子が、オス端子により構成されることを特徴とするシールドコネクタ。
【００１３】
上記（３）の構成のシールドコネクタによれば、端子がオス端子となることで、一般的に端子先端部分（電気接触部）が箱形状のメス端子よりも端子が薄厚の狭い幅で形成される。このため、オス端子は、同一容積の端子収容室で比較した場合、メス端子よりも端子収容室の占有率が小さい。その分、可撓アームの形成が容易となり、可撓アームの可撓ストロークも稼ぎ易くなる。
【００１４】
（４）  上記（３）のシールドコネクタであって、前記空間の一側方が、前記オス端子の先端が貫通する端子貫通孔を有するフロントホルダにより閉塞されることを特徴とするシールドコネクタ。
【００１５】
上記（４）の構成のシールドコネクタによれば、インナーハウジングにフロントホルダが装着されると、端子収容室から突出されるオス端子の先端がフロントホルダの端子貫通孔に貫通され、オス端子の先端が高精度に位置決めされ、かつ、高強度に保持される。また、フロントホルダが装着されると、端子挿入開口となる端子収容室における空間の一側方がフロントホルダによっても閉塞されるので、端子挿入開口は、フロントホルダ及びその外側を覆うシールド部とによる二重構造で確実に塞がれる。
【発明の効果】
【００１６】
本発明に係るシールドコネクタによれば、端子収容室には、一側方から端子をそれぞれ挿入することができるので、シールド電線の皮を剥ぐ長さが短い場合でも端子の挿入作業が容易になる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】本発明の一実施形態に係るシールドコネクタの分解斜視図である。
【図２】図１に示した端子の拡大図である。
【図３】（ａ）は相手側コネクタの斜視図、（ｂ）は（ａ）に示した相手側コネクタの縦断面図である。
【図４】端子が装着されたインナーハウジングの斜視図である。
【図５】図４のインナーハウジングをＡ−Ａ方向の断面で切り欠いた斜視図である。
【図６】図１に示したインナーハウジングと端子装着シールド電線の拡大図である。
【図７】端子収容室に端子が装着される直前のインナーハウジングの斜視図である。
【図８】インナーハウジングにフロントホルダを装着する前の斜視図である。
【図９】インナーハウジングが組み込まれる途中におけるシールドシェルの斜視図である。
【図１０】従来のシールドコネクタの分解斜視図である。
【図１１】従来のシールドコネクタの課題を説明するための要部分解斜視図である。
【発明を実施するための形態】
【００１９】
以下、本発明に係る実施形態を図面を参照して説明する。
本実施形態に係るシールドコネクタ１１は、ＵＳＢ２．０（高速伝送用差動コネクタ）のケーブル側のシールドコネクタとして好適に用いることができる。
図１に示すように、シールドコネクタ１１は、端子であるオス端子１３と、インナーハウジング１５と、フロントホルダ１７と、シールドシェル１９と、シールドシェルカバー２１と、アウターハウジング２３と、を備える。なお、本明細書中、アウターハウジング２３の前方側（図１の左下側）を前、シールド電線２５の後方側（図１の右上側）を後として説明する。
【００２０】
オス端子１３は、板金加工により成形され、図２に示すように、タブ状の電気接触部２７を有する。電気接触部２７の接触基端部２９には、係止突起であるインデント３１が打ち出し成形等により突出して形成される。接触基端部２９の後方には、一対の前後移動規制片３３が起立して設けられる。前後移動規制片３３の後方には、シールド電線２５の内部導体を圧着するための一対の導体圧着片３５が起立して設けられる。オス端子１３は、シールド電線２５に接続されて端子装着シールド電線３７を構成する。
【００２１】
シールド電線２５は、複数（本実施形態では４本）の内部導体が内部保護被覆によって覆われる。本明細書中、内部導体を覆う内部保護被覆までをシールド線４１と称する。複数のシールド線４１は、外部保護被覆であるシールド箔３９とシース部４３によって更に覆われて、シールド電線２５を構成する。シールド電線２５は、オス端子１３とのつなぎ部４５で、少なくともシース部４３とシールド箔３９からなる皮４７を剥ぐ必要がある。皮４７を剥いでいる部分は、インピーダンス不整合を引き起こし、伝送性能が悪くなる。このため、つなぎ部４５の皮４７を剥ぐ長さは、短ければ短いほどよい。
【００２２】
インナーハウジング１５は、合成樹脂材により成型され、シールド電線２５の複数のシールド線端末４９に圧着したオス端子１３が挿入される複数の端子収容室５１（図４参照）を備える。端子収容室５１は、一側方と前後方向が開放された空間５３を有する。この空間５３は、一側方で端子挿入開口５５（図７参照）となって開口される。また、空間５３の前方は、インナーハウジング１５の前面に、電気接触部挿通開口５７となって開口される。空間５３の後方は、インナーハウジング１５の後面に、シールド線導出開口５９となって開口する。
【００２３】
端子収容室５１の空間５３を区画形成する隔壁６１は、一側方から空間５３に挿入されたオス端子１３の前後方向の移動を規制する凹状の係止部６３と、一側方から挿入された端子の端子挿入開口５５からの離脱を阻止する仮係止部と、を備える。
本実施形態における仮係止部は、オス端子１３に突設された上記インデント３１を係止する可撓アーム６５により構成される。可撓アーム６５の端子対向面には、インデント３１をより外れ難くする微小凸部（屈曲部）がインデント３１よりも外側に設けられている。この微小凸部に代えて、インデント３１と嵌合する微小凹部を設けたりしてもよい。
【００２４】
図１に示したフロントホルダ１７は、前面板を有して、インナーハウジング１５の前部に挿着される。前面板には、インナーハウジング１５の電気接触部挿通開口５７に一致する複数（本実施形態では、４個）の端子貫通孔６７が形成される。前面板には、後方に延びる一対のホルダ両側板７３が形成され、インナーハウジング１５の一側方の端子挿入開口５５は、フロントホルダ１７が装着されることで、フロントホルダ１７のホルダ両側板７３によって閉塞される。
【００２５】
図１に示したシールドシェル１９は、板金材を用いた板金加工により形成される。シールドシェル１９は、インナーハウジング１５を内方に挿入して覆う箱状のシールド部７５を有する。シールド部７５の後方には、シールド電線２５のシース部４３を圧着固定するバレル部７７が連設される。端子装着シールド電線３７のオス端子１３を挿着したインナーハウジング１５は、シールドシェル１９に挿入され、端子装着シールド電線３７のシース部４３がバレル部７７に加締め固定される。
【００２６】
シールドシェルカバー２１は、シールドシェル１９の上部開口を上方から覆うようにして装着される。シールドシェルカバー２１は、両側部に形成した係止穴を、シールド部７５の両側部に形成した係止爪に係止して、シールド部７５に固定される。
【００２７】
アウターハウジング２３は、合成樹脂材により角筒状に成形される。アウターハウジング２３の内方には、シェル装着空間２４が形成される。シェル装着空間２４には、シールドシェル１９に覆われたインナーハウジング１５が挿入保持される。シェル装着空間２４の前方には、後述する相手コネクタ８１がコネク嵌合される。
【００２８】
図３に示すように、相手コネクタ８１は、インナーハウジング８７と、インナーハウジング８７の外側を覆うアウターシールドシェル８５と、アウターハウジング８３とを具備する。
図示しないシールド電線の各シールド線に接続されたメス端子８９は、箱状の電気接触部を有し、図２に示したオス端子１３のタブ状の電気接触部２７と接触する。
メス端子８９を収容したインナーハウジング８７は、シールドコネクタ１１がコネクタ嵌合されると、シールドシェル１９のシールド部７５によって覆われる。
アウターシールドシェル８５にはバレル部８６が垂設され、シールド電線２５のシース部４３に圧着固定される。
アウターシールドシェル８５及びインナーハウジング８７を収容するアウターハウジング８３の一側面（図中、上面）には、シールドコネクタ１１におけるアウターハウジング２３のロック穴２３aにロック係止されるロックアーム８４が設けられている。
【００２９】
次に、上記したシールドコネクタ１１の組み立て手順を説明する。
シールドコネクタ１１を組み立てるには、図６に示すように、シールド電線２５の複数のシールド線端末４９にオス端子１３を圧着接続して、端子装着シールド電線３７とする。そして、端子装着シールド電線３７のそれぞれのオス端子１３を、図７に示すように、所定の端子収容室５１の一側方に配置し、平行移動して端子挿入開口５５から挿入する。
【００３０】
次いで、図８に示すように、フロントホルダ１７をインナーハウジング１５の前方より組み付ける。フロントホルダ１７を組み付けたインナーハウジング１５は、図９に示すように、シールドシェル１９のシールド部７５に装着される。インナーハウジング１５が挿着された端子装着シールド電線３７のシース部４３を、シールドシェル１９のバレル部７７で圧着固定する。シールドシェル１９の上部開口は、シールドシェルカバー２１を装着して覆う。最後に、シールドシェル１９をアウターハウジング２３に挿着する。
【００３１】
次に、上記構成を有するシールドコネクタ１１の作用を説明する。
本実施形態のシールドコネクタ１１では、端子収容室５１が、端子収容室５１の前後方向に直交する方向となるインナーハウジング１５の一側方で開放される。複数のシールド線端末４９のそれぞれにはオス端子１３が設けられ、シールド電線２５には、オス端子１３との間につなぎ部４５が形成される。つなぎ部４５は、複数本のシールド線４１を纏める皮４７が剥かれることで、皮４７による拘束が解かれ、それぞれのオス端子１３が相互に離間可能となる。つなぎ部４５は、伝送性能が悪くなるインピーダンス不整合が引き起こされないように、短い長さで皮４７が剥かれている。端子収容室５１にオス端子１３が装着される際、それぞれのオス端子１３は、つなぎ部４５が屈曲され、対応する端子収容室５１の一側方に平行に配置される。
【００３２】
本実施形態のシールドコネクタ１１では、従来、一度に挿入されていた端子装着シールド電線３７のオス端子１３が、１本ずつに分けて挿入が可能となる。即ち、短いつなぎ部４５であっても、オス端子１３は端子収容室５１の一側方から平行移動するだけで容易に挿入できる。これにより、オス端子１３の同時挿入作業や、半挿入状態の揃え作業が不要となる。
【００３３】
また、複数のオス端子１３が端子収容室５１へ順に挿入される過程において、挿入の完了されたオス端子１３は、可撓アーム６５によって端子収容室５１からの離脱が規制され、作業性が高められる。端子挿入開口５５は、最終的にはシールドシェル１９のシールド部７５によって閉塞されてオス端子１３が離脱しなくなるので、可撓アーム６５は、端子収容室５１の隔壁６１に形成された簡単な構造で形成が可能となる。
【００３４】
また、本実施形態のシールドコネクタ１１は、インナーハウジング１５の一側方において端子挿入開口５５によって開放される端子収容室５１に、オス端子１３に突設されたインデント３１を係止する可撓アーム６５が、一側方に向けて突設され、オス端子１３を上下から挟持する方向へ撓み可能とされる。オス端子１３には、この可撓アーム６５に対向する面に、インデント３１が突出して形成されているので、可撓アーム６５を押し広げて端子収容室５１へ挿入されたオス端子１３は、インデント３１が弾性復元力によって押圧される可撓アーム６５に係止され、端子挿入開口５５からの容易な離脱が規制される。従って、端子挿入作業時には、オス端子１３が可撓アーム６５により仮係止されるので、挿脱が容易に行え、作業性もよい。
【００３５】
更に、本実施形態のシールドコネクタ１１は、端子がオス端子１３となることで、一般的に端子先端部分の電気接触部が箱形状のメス端子よりも薄厚の狭い幅で形成される。このため、オス端子１３は、同一容積の端子収容室５１で比較した場合、メス端子よりも端子収容室５１の占有率が小さい。その分、可撓アーム６５の形成が容易となり、可撓アーム６５の可撓ストロークも稼ぎ易くなる。
【００３６】
また、本実施形態のシールドコネクタ１１は、インナーハウジング１５にフロントホルダ１７が装着されると、端子収容室５１から突出されるオス端子１３の電気接触部２７がフロントホルダ１７の端子貫通孔６７に貫通される。これにより、オス端子１３の電気接触部２７が高精度に位置決めされ、かつ、高強度に保持される。また、フロントホルダ１７が装着されると、端子挿入開口５５となる端子収容室５１における空間５３の一側方がフロントホルダ１７によっても閉塞されるので、端子挿入開口５５は、フロントホルダ１７及びその外側を覆うシールド部７５とによる二重構造で確実に塞がれる。
【００３７】
従って、本実施形態に係るシールドコネクタ１１によれば、端子収容室５１には、一側方からオス端子１３をそれぞれ挿入することができるので、シールド電線２５の皮４７を剥ぐ長さが短い場合でもオス端子１３の挿入作業が容易になる。
【００３８】
なお、本発明のシールドコネクタは、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【符号の説明】
【００３９】
１１…シールドコネクタ
１３…オス端子（端子）
１５…インナーハウジング
１７…フロントホルダ
１９…シールドシェル
２５…シールド電線
３１…インデント（係止突起）
４９…シールド線端末
５１…端子収容室
５３…空間
６１…隔壁
６３…係止部
６５…可撓アーム（仮係止部）
６７…端子貫通孔
７５…シールド部
７７…バレル部
【図１】
0005864351.tif 000002
【図２】
0005864351.tif 000003
【図３】
0005864351.tif 000004
【図４】
0005864351.tif 000005
【図５】
0005864351.tif 000006
【図６】
0005864351.tif 000007
【図７】
0005864351.tif 000008
【図８】
0005864351.tif 000009
【図９】
0005864351.tif 000010
【図１０】
0005864351.tif 000011
【図１１】
0005864351.tif 000012